(57)【要約】【課題】ディスク動作遷移や再生性能マージンを監視して、適切な高周波重畳モードを適宜設定することによって、徹底した低消費電力動作と装置筐体内部の急激な温度上昇を回避することができる光学的情報再生装置を提供すること。【解決手段】媒体に光ビームを照射して情報の再生を行う光学的情報再生装置において、レーザー光源と、レーザー駆動部と高周波重畳手段と、高周波重畳手段のオン、オフを設定するコントローラと、光ビームを媒体の情報領域に追従制御するサーボ手段と、情報領域から情報再生を行う情報再生手段と、レーザー駆動部への高周波重畳をオフしてレーザー駆動する第１の光ビーム駆動モードと、レーザー駆動部への高周波重畳をオンしてレーザー駆動する第２の光ビーム駆動モードとを有し、コントローラは、情報再生手段の動作条件に基いて第１、第２の光ビーム駆動モードを切り替える。【選択図】図１
2006221706.tif 000002
【特許請求の範囲】
【請求項１】
媒体に光ビームを照射して情報の再生を行う光学的情報再生装置であって、
前記光ビームを照射するレーザー光源と、前記レーザー光源を駆動するレーザー駆動部と前記レーザー駆動部に高周波信号を印加する高周波重畳手段と、前記高周波重畳手段のオン、オフを設定するコントローラと、前記光ビームを前記媒体の情報領域に追従制御するサーボ手段と、前記情報領域から情報再生を行う情報再生手段と、前記レーザー駆動部への高周波重畳をオフしてレーザー駆動する第１の光ビーム駆動モードと、前記レーザー駆動部への高周波重畳をオンしてレーザー駆動する第２の光ビーム駆動モードとを有し、前記コントローラは、前記情報再生手段の動作条件に基いて前記第１、第２の光ビーム駆動モードを切り替えることを特徴とする光学的情報再生装置。
【請求項２】
前記情報再生手段の動作条件は再生動作シーケンスであって、前記コントローラは、前記サーボ手段が前記光ビームを情報領域に合焦引き込み動作している間、若しくは目標位置に向かってトラック横断動作している間、若しくは所定領域でウエイトしている間、若しくは情報再生せずにトレースしている間のの少なくとも何れか１つの場合において前記第１の光ビーム駆動モードを設定し、前記情報再生手段によって情報再生される場合においては、前記第２の光ビーム駆動モードを設定することを特徴とする請求項１記載の光学的情報再生装置。
【請求項３】
前記コントローラは、当該媒体から得られる情報再生信号の品質を判定する手段を更にに備え、前記情報再生手段の動作条件は、前記情報再生信号の品質であって、前記判定手段によって情報再生信号の品質が所定値以上であると判定された場合、前記コントローラは前記第１の光ビーム駆動モードを設定し、一方、前記判定手段によって情報再生信号の品質が所定値以下であると判定された場合、前記コントローラは前記第２の光ビーム駆動モードを設定することを特徴とする請求項１記載の光学的情報再生装置。
【請求項４】
前記コントローラは、前記媒体の周囲温度情報を取得する温度計測手段と、前記温度情報を判定する手段を更に備え、前記情報再生手段の動作条件は、前記温度計測手段から得られる温度情報であって、温度情報判定手段によって所定値以上と判定された場合、前記コントローラは前記第１の光ビーム駆動モードを設定し、当該温度情報判定手段によって所定値以下と判定された場合、前記コントローラは前記第２の光ビーム駆動モードを設定することを特徴とする請求項１記載の光学的情報再生装置。
【請求項５】
情報を格納するメモリ手段と、前記メモリ手段への蓄積或は読み出しによって、当該情報を間欠的にディスク状媒体から再生する手段を更に備え、前記情報再生手段の動作条件は、前記間欠駆動タイミングであって、前記コントローラは、間欠休止期間において前記第１の光ビーム駆動モードを設定し、非間欠休止期間においては、前記第２の光ビーム駆動モードを設定することを特徴とする請求項１記載の光学的情報再生装置。
【請求項６】
前記コントローラは、前記サーボ手段から線速度情報を取得する手段と前記線速度を判定する手段を更に備え、前記情報再生手段の動作条件は、前記線速度情報であって、前記線速度が所定値以下と判定された場合、前記コントローラは前記第１の光ビーム駆動モードを設定し、前記線速度が所定値以上と判定された場合、前記コントローラは前記第２の光ビーム駆動モードを設定することを特徴とする請求項１記載の光学的情報再生装置。
【請求項７】
媒体に光ビームを照射して情報の再生を行う光学的情報再生方法であって、
前記光ビームを照射するレーザー光源と、前記レーザー光源を駆動するレーザー駆動部と前記レーザー駆動部に高周波信号を印加する高周波重畳手段と、前記高周波重畳手段のオン、オフを設定するコントローラと、前記光ビームを前記媒体の情報領域に追従制御するサーボ手段と、前記情報領域から情報再生を行う情報再生手段と、前記レーザー駆動部への高周波重畳をオフしてレーザー駆動する第１の光ビーム駆動モードと、前記レーザー駆動部への高周波重畳をオンしてレーザー駆動する第２の光ビーム駆動モードとを有し、前記コントローラは、前記情報再生手段の動作条件に基いて、前記第１、第２の光ビーム駆動モードを切り替えることを特徴とする光学的情報再生方法。
【発明の詳細な説明】
【技術分野】
【０００１】
本発明は、ディスク状記録媒体を用いた光学的情報再生装置であって、特には半導体レーザーを高周波重畳駆動させた光ビーム照射によって、ディスク状媒体から情報再生する装置及び方法に関する。
【背景技術】
【０００２】
ディスク状媒体（以下、「ディスク」と記す）を用いた情報再生装置は、媒体の可搬自在性、保存信頼性、高転送レート、そして、ランダムなアクセス・レスポンス優位性といった特徴を備えている。特に近年、ディスクの高密度化が急速に進展するに相俟って、小径且つ大容量のディスクが、映画、音楽、ゲームソフト等のパッケージメディアとして、或は、高精細スチルカメラやＨＤ方式ビデオカメラ等の小型撮像機器の蓄積メディアとして大きな躍進を遂げている。
【０００３】
こうした情報再生装置は、半導体レーザーを備えた光学的ピックアップユニットを備え、ディスク面上の情報トラックに光ビームスポットを集光制御して、データ再生を行う。情報再生装置の再生信号は、周知のジッタ（時間軸変動量）や誤り率といった指標を用いて、性能評価がなされている。通常、再生信号の品位は、光ビームスポット形状、半導体レーザーパワー、ディスク・サーボ・パラメータ、ディスク傾き・反り、更には再生信号処理パラメータ等が複雑に関連している。
【０００４】
ところで、再生信号品位を低下させる要因の１つに、半導体レーザーに起因するレーザーノイズが知られている。レーザーノイズが大きいと、ディスク再生信号に揺らぎが生じてしまい、前述のジッタや誤り率等の悪化を招いてしまう。
【０００５】
データ再生に影響を与えるレーザーノイズ成分としては、自然放出光の量子論的原理による量子ノイズ、周囲環境温度変化や半導体レーザー駆動電流の揺らぎによって生じるモードホップノイズ、そして、半導体レーザーから出射されたレーザー光或はディスクからの反射光が光検出ユニット内で周囲構成部品によって反射され、当該レーザーに戻ることで誘起される戻り光ノイズに大別される。こうしたノイズの大きさを示す半導体レーザーの特質の指標としてＲＩＮ（相対雑音強度：Ｒｅｌａｔｉｖｅ  Ｉｎｔｅｎｓｉｔｙ  Ｎｏｉｓｅ）が規定されている。
【０００６】
ＲＩＮ＝（測定ノイズ強度）2 ／Ｐ2×Δｆ［ｄＢ／Ｈｚ］
（Ｐ：ＬＤ出力パワー、Δｆ：測定帯域幅）
量子ノイズは概略、ＲＩＮ∝１／Ｐ3の関係があり、レーザー出力が増すほどノイズの発生は小さくなる。又、戻り光ノイズは、一般に、レーザー出力を増すほど、ノイズの発生が大きくなることが知られている。
【０００７】
従来、ディスクデータの再生時のＲＩＮを低減させるために、半導体レーザーの駆動電流に高周波交流電流を重畳して、光ビームを高速パルス状に照射する技術が用いられている。これは高周波重畳（ＨＦＭ）と呼ばれ、重畳される高周波は光ピックアップの光路長に依存し、およそ３００〜４００ＭＨｚの周波数が設定されている。
【０００８】
高周波重畳を用いてレーザーノイズを低減させる従来の情報再生装置として、特許文献１に技術が提案されている。この従来技術は、ディスクからの再生信号のエラー率が最小になるように、高周波重畳信号の振幅値を調整する技術である。又、特許文献２に記載された技術では、戻り光ノイズの検出手段を設けておき、戻り光ノイズが基準値以下となるように、高周波重畳の周波数を調整する技術である。
【０００９】
【特許文献１】特開平３−０２５７３２号公報
【特許文献２】特開平４−００６６３５号公報
【発明の開示】
【発明が解決しようとする課題】
【００１０】
近年、情報再生装置の運用環境は、ディスクの小径大容量化や装置小型化に伴って、屋内から屋外へのモバイル運用に展開している。しかしながら、モバイル運用機器はバッテリという限られた電力源に依存するので、システムの低消費電力化が大変重要である。このことは、機器の長時間駆動を提供するためだけでなく、システムの電力消費がそのまま熱源となって、密閉された小型筐体内部の急激な温度上昇を招いてしまう問題もはらんでいる。
【００１１】
従来技術は、情報再生機器にあって、高周波重畳の振幅（特許文献１）や周波数（特記よ文献２）パラメータを最適に調整することでレーザーノイズ低減効果を上げ、情報再生信号のマージン拡大を提供するものであった。
【００１２】
高周波重畳回路は、３００〜４００ＭＨｚの高周波発振回路を備え、半導体レーザーを高速パルス点灯させるが故に、略０．３〜０．４Ｗの電力消費を要し、半導体レーザー駆動部の実に３０〜４０％の電力消費を占める。しかも、この電力消費は、レーザー駆動回路の熱源となり、光ピックアップ周辺に急激な温度上昇をもたらす。こうした問題は、モバイル機器筐体の徹底した小型化、高密閉化に複合起因して顕在化してきた。
【００１３】
即ち、従来技術は、高周波重畳を掛けることによって再生信号品位の向上を狙ったものであるが、無用な条件で当該高周波重畳機能を動作させており、不要な消費電力増大、並びに筐体内部の温度上昇をもたらすことによってディスクメディアの性能劣化という弊害を及ぼす課題があった。
【００１４】
従って、本発明は、ディスク動作遷移や再生性能マージンを監視して、適切な高周波重畳モードを適宜設定することによって、徹底した低消費電力動作と装置筐体内部の急激な温度上昇を回避することができる光学的情報再生装置及び光学的情報再生方法を提供することを目的とする。
【課題を解決するための手段】
【００１５】
上記目的を達成するため、本発明は、媒体に光ビームを照射して情報の再生を行う光学的情報再生装置において、前記光ビームを照射するレーザー光源と、前記レーザー光源を駆動するレーザー駆動部と前記レーザー駆動部に高周波信号を印加する高周波重畳手段と、前記高周波重畳手段のオン、オフを設定するコントローラと、前記光ビームを前記媒体の情報領域に追従制御するサーボ手段と、前記情報領域から情報再生を行う情報再生手段と、前記レーザー駆動部への高周波重畳をオフしてレーザー駆動する第１の光ビーム駆動モードと、前記レーザー駆動部への高周波重畳をオンしてレーザー駆動する第２の光ビーム駆動モードとを有し、前記コントローラは、前記情報再生手段の動作条件に基いて前記第１、第２の光ビーム駆動モードを切り替えることを特徴とする。
【００１６】
又、本発明は、媒体に光ビームを照射して情報の再生を行う光学的情報再生方法において、前記光ビームを照射するレーザー光源と、前記レーザー光源を駆動するレーザー駆動部と前記レーザー駆動部に高周波信号を印加する高周波重畳手段と、前記高周波重畳手段のオン、オフを設定するコントローラと、前記光ビームを前記媒体の情報領域に追従制御するサーボ手段と、前記情報領域から情報再生を行う情報再生手段と、前記レーザー駆動部への高周波重畳をオフしてレーザー駆動する第１の光ビーム駆動モードと、前記レーザー駆動部への高周波重畳をオンしてレーザー駆動する第２の光ビーム駆動モードとを有し、前記コントローラは、前記情報再生手段の動作条件に基いて、前記第１、第２の光ビーム駆動モードを切り替えることを特徴とする。
【発明の効果】
【００１７】
本発明によれば、レーザーノイズを低減させる高周波重畳機能について、ディスク再生動作シーケンスや再生マージン等を監視して、適切な高周波重畳モードを適宜設定することができる。即ち、徹底した低消費電力動作と装置筐体内部の急激な温度上昇を回避する効果が得られる。
【００１８】
又本発明によれば、データ再生時のシーケンスに応じて高周波重畳のＯＮ／ＯＦＦを切り替えることができるので、サーボ引き込み時、シーク時、サーボ待機（ウエイト）時には高周波重畳をＯＦＦにして、電力消費を低減する効果を得る。
【００１９】
更に、本発明によれば、データ再生時の信号品位（マージン）を見て、高周波重畳のＯＮ／ＯＦＦを切り替えることができるので、再生マージンに余裕がある場合等、必要最低限のマージンを確保しながら、不要電力の消費低減効果を得る。
【００２０】
又、本発明によれば、装置内部温度を監視して、高温下では高周波重畳をＯＦＦにすることができるので、高温媒質劣化を未然に防ぐ効果を得る。
【００２１】
更に、本発明によれば、ドライブ装置の間欠駆動タイミングを見て、高周波重畳のＯＮ／ＯＦＦを切り替えることができるので、間欠休止期間の高周波重畳をＯＦＦにして、不要電力の消費低減効果を得る。
【００２２】
又、本発明によれば、ドライブ装置の線速度を見て、高周波重畳のＯＮ／ＯＦＦを切り替えることができるので、Ｎ倍速再生のように再生マージンが低下する状況下においてのみ高周波重畳をＯＮにして、それ以外の通常状態では不要電力の消費低減効果を得る。
【発明を実施するための最良の形態】
【００２３】
以下、本発明の実施形態について図面を用いて詳細に説明する。図２は本発明による情報再生装置の機能構成図である。
＜本実施形態の全体構成及び一連の動作＞
図２に示す情報再生装置は、光ディスク（以下、「ディスク」と記す）２２１、光ピックアップ２２２、スピンドルモータ２２３、スピンドルモータドライバ２２４、ＡＴ（Auto Tracking ）／ＡＦ（Auto Focus）ドライバ２２５、レーザードライバ２２６、サーボコントローラ（Digital Signal
Processor）２２８、ディスク信号処理部２２７、ドライブプロセッサ２２９を備えている。
【００２４】
又、データバス２１０、温度センサ２４８、メモリ２４２、メモリ制御２４１、表示部２４５、出力インタフェース（以下、「出力Ｉ／Ｆ」と記す）２４６、操作部２４７、システムコントローラ（ＣＰＵ）２４４を備えている。
【００２５】
図２の全体構成と基本動作を説明する。
【００２６】
システムコントローラ２４４は、中央演算処理機能（ＣＰＵ）を備え、操作部２４７からユーザー指定コマンドを受けて実行する。又、所定のプログラムを実行することにより、情報再生装置全体の動作を統括制御する。
【００２７】
出力Ｉ／Ｆ２４６は、外部端子を介してＮＴＳＣや音声信号等のアナログ信号、或はＩＥＥＥ１３９４やＵＳＢ（Universal Serial Bus）といったディジタル信号等を所定フォーマットに準拠して出力するインタフェース処理ブロックである。操作部２４７は、ユーザーインタフェースであり、情報再生を機能させるための電源ＯＮ／ＯＦＦ、再生開始／停止など、幾多のスイッチ群によって構成されている。又、表示部２４５は、再生映像の表示、ユーザーへの様々な管理情報の表示、又はコマンド確認を行う表示機能である。
【００２８】
メモリ２４２は、データバス２１０を介して各機能ブロックでタイム・シェアされるメモリである。メモリ２４２は、メモリ制御部２４１にアクセス制御される。
【００２９】
次に、ディスクドライブ部２２０の動作を説明する。
【００３０】
ディスク２２１は、例えば相変化方式のディスク媒体であって、情報の１又は０を反射光量の変化で検知できる機構を有している。光ピックアップ２２２は、光学カップリング群、レーザー素子、アクチュエータ、受光素子（以上図示せず）等から構成され、ディスク２２１へのレーザー光照射、光ビームスポットの位置制御、ディスクからの反射光量の検出を行う。
【００３１】
ドライブ部２２０のサーボ動作について説明する。
【００３２】
ディスク２２１からの反射光は、光ピックアップ２２２内の受光素子において光電変換され、センサ信号が出力される。サーボコントローラ２２８は、ドライブシステムのサーボ制御全体をコントロールする。サーボコントローラ２２８は、不図示のトラバースモータを駆動制御することによって光ピックアップ２２２をディスク２２１上の所定アドレス近傍に位置制御する。
【００３３】
又、ディスク信号処理部２２７では、センサ信号を演算して得られるフォーカスエラー信号及びトラッキングエラー信号に基づいてＡＴ／ＡＦドライバ２２５を駆動する。光ピックアップ２２２には、対物レンズをフォーカス方向とトラッキング方向に駆動するためのアクチュエータが設けられている。ＡＴ／ＡＦドライバ２２５は、フォーカスエラー信号及びトラッキングエラー信号に基づいて対物レンズを制御する。こうして、回転するディスク２２１のトラック上に光ビームスポットの合焦を保持する（フォーカス制御）。
【００３４】
更に、情報トラックに対して光ビームスポットを追従制御させる（トラッキング制御）。又、サーボコントローラ２２８は、レーザードライバ２２６を介してレーザー射出光量の制御を行う。又、スピンドルモータドライバ２２４を介して、スピンドルモータ２２３の回転駆動制御を行う。
【００３５】
光ピックアップ２２２では、レーザードライバ２２６を介してレーザー射出光量の制御を行う。レーザー射出について、図６を用いて詳述する。
【００３６】
６０１はレーザー素子、６０２は加算器、６０３は電流制御、６０４は発振器である。レーザー素子の駆動電流制御は、電流制御６０３において、目標値６０５に合致するよう制御される。サーボコントローラ２２８から供与される制御信号６０６は、レーザー駆動信号に、高周波を重畳するか否かを選択するスイッチ信号である。制御信号６０６がＯＮの時、発振器６０４が約３００ＭＨｚ程度の高周波発振動作し、レーザー駆動信号に加算され、いわゆる高周波重畳（ＨＦＭ）を掛けることができる。
【００３７】
次に、ディスクから読み出される信号処理の流れについて説明する。
【００３８】
光ピックアップ２２２から得られるセンサ信号は、ディスク信号処理部２２７において周知のマトリクス演算、ゲイン制御（Auto Gain Control ）、フィルタリング（Pre Filter）、ディジタル化（Analog/Digital
Converter）される。ディジタル化された再生信号は、後段の再生プロセッサ２２９に伝送される。再生プロセッサ２２９は、ディジタル信号処理を担い、ＰＬＬ（Phase Locked Loop ）によって再生信号のエッジに同期したクロック生成、イコライザによる波形等化、ＰＲＭＬ（Partial-Response Maximum-Likelihood ）によるデータ検出、復調処理、ＥＣＣ（エラー訂正：Error Correction Code ）等が実施される。更に、ＭＰＥＧ２（Moving Picture Experts Group 2）或はＭＰＥＧ４（Moving Picture Experts Group 4）等、所定フォーマットに準じて復号処理が施され、出力Ｉ／Ｆ２４６に出力される。
【００３９】
次に、メモリ２２２を介したディスク再生データの流れについて、図面を用いて詳述する。
【００４０】
図７（７−１）は、横軸に時間、縦軸にメモリへのデータ蓄積量を示したタイミングチャートである。同図（７−２）はドライブ装置の間欠駆動タイミングを示している。ドライブ装置はメモリ蓄積量を監視しながら間欠動作を行い、Ｈ区間でドライブ駆動、Ｌ区間でドライブ停止（間欠休止）を示している。
【００４１】
いま、再生開始の上位コマンドが発行され、時刻ｔ１においてディスクからの再生信号がメモリに蓄積開始されるとする。縦軸に示すＡはメモリ容量の上限閾値であり、周知のショックプルーフ機能を実現するに十分な容量設定がなされている。時刻ｔ２においてメモリへのデータ蓄積が上限閾値Ａに達すると同時に、ディスクドライブは間欠休止に移行する。以降、メモリ蓄積量がＢなる閾値に至るまで、図７（７−１）のように所定転送レートで読み出しされる。メモリ閾値Ｂは、メモリがアンダーフローしないようマージンを有した下限閾値である。間欠休止期間、メモリ蓄積量がＢ（メモリ容量Ｂ＜Ａ）まで低下すると（時刻ｔ３）、ドライブは起動され、メモリへの再生データ蓄積が開始される。以後、同様の動作が間欠的に繰り返される。
【００４２】
このようにメモリへのデータ蓄積量を監視してドライブ起動と停止を間欠駆動制御させることによって、時刻ｔ２からｔ３、ｔ４からｔ５の間は、ドライブ動作を停止させて省電力に大きく寄与する。又、装置筐体への外乱（衝撃、振動、揺れ）によってドライブ系のサーボエラーが生じても、間欠休止期間にリトライで復帰処理することができる。
＜本実施形態におけるシステムコントローラの機能構成＞
図１は本実施形態のシステムコントローラ２４４の機能ブロック構成を示す。
【００４３】
システムコントローラ２４４は、ＣＰＵと通信バスライン２１０が接続されており、更に、再生信号品位判定部１０１と、メモリ監視部１０２、温度監視部１０３、サーボ監視部１０４、ＨＦＭ動作モード設定部１０５を有している。ＨＦＭ動作モード設定部１０５は、再生信号品位判定部１０１、メモリ監視部１０２、温度監視部１０３、サーボ監視部１０４から取得される情報に基づいてＨＦＭ動作モードを設定する機能を有する。ＨＦＭ動作モード設定部１０５は、再生信号品位判定部１０１から再生信号の品位（マージン）を取得する。
【００４４】
又、メモリ監視部１０２から間欠駆動タイミングを取得する。又、温度監視部１０３から温度情報を取得する。更に、サーボ監視部１０４からサーボ情報を取得する。ＨＦＭ動作モード設定部１０５は、インタフェース２１０を介して高周波重畳（ＨＦＭ）をＯＮ／ＯＦＦ制御する。
＜省電動作フローの説明＞
次に、本発明の省電動作についてフローチャートを用いて詳述する。図３は本実施形態の動作フローを示すものである。
【００４５】
・ステップ３０１：再生指令
上位コマンドを受け、システムが再生動作を開始する。
【００４６】
・ステップ３０２：高周波重畳ＯＦＦ
システムコントローラ２４４において、ＨＦＭ動作モード設定部１０５は高周波重畳をＯＦＦに設定する。
【００４７】
・ステップ３０３：所定アドレスにシーク＆ウエイト
サーボコントローラ２２８は、ディスク指定個所のアドレス個所に光ビームスポットを位置制御（シーク）させる。続いて、光ビームスポットを当該アドレス近傍の同一トラックに待機（ウエイト）させる。
【００４８】
・ステップ３０４：アドレスＯＫ？
サーボコントローラ２２８は、再生指定アドレスへの位置制御を確認する。指定アドレスに到達すればステップ３０５に移行する。指定アドレスに至らなければ、ステップ３０３に戻る。
【００４９】
・ステップ３０５：高周波重畳ＯＮ
システムコントローラ２４４において、ＨＦＭ動作モード設定部１０５は高周波重畳をＯＮに設定する。
【００５０】
・ステップ３０６、３０７：データ再生
システムコントローラ２４４は、上位コマンドから指定されたアドレスのデータ再生を実行する。指定アドレスの再生を終えたら、ステップ３０８に移行する。
【００５１】
・ステップ３０８：高周波重畳ＯＦＦ
システムコントローラ２４４において、ＨＦＭ動作モード設定部１０５は高周波重畳をＯＦＦに設定する。
【００５２】
以上、本動作フローでは、データ再生時のみＨＦＭをＯＮに設定し、それ以外のサーボ動作或は待機時にはＨＦＭをＯＦＦにする。従って、データ再生以外の電力消費を抑えることができる。
＜第２の省電動作フローの説明＞
本発明による第２の省電動作についてフローチャートを用いて詳述する。図５は第２の省電動作フローを示すものである。
【００５３】
・ステップ５０１：再生指令
上位コマンドを受け、システムが再生動作を開始する。
【００５４】
・ステップ５０２：再生品位判定
システムコントローラ２４４において、再生信号品位判定部１０１は、ディスク再生信号の品位を判定する。ディスク再生信号の品位とは、再生データにおけるエラー率のマージンである。
【００５５】
図４を用いてエラー率のマージンを説明する。図４に示すグラフの縦軸はエラー率、横軸は再生パラメータである。
【００５６】
再生パラメータとは、再生時のレーザーパワー、或はディスクサーボのフォーカス制御やトラッキング制御時のオフセット値等、エラー率に関与するパラメータを示す。再生特性４０１，４０２は各々異なる信号品位の再生パラメータ依存特性を示し、４０１に比べてエラー率底値が低い４０２の方が再生信号品位良好、即ちマージンが広いことを示す。定量的には、エラー率の閾値４０３を予め設定しておき、再生特性４０１，４０２との交点から、マージンＭ４０１，Ｍ４０２を算出する。ここで、マージンＭを所定の閾値と比較することによって、マージンのレベルを判定する。
【００５７】
マージンＭ＞所定閾値のとき、ステップ５０４に移行する。
【００５８】
マージンＭ＜所定閾値のとき、ステップ５０３に移行する。
【００５９】
・ステップ５０３：高周波重畳ＯＮ
システムコントローラ２４４において、ＨＦＭ動作モード設定部１０５は高周波重畳をＯＮに設定する。
【００６０】
・○ステップ５０４：高周波重畳ＯＦＦ
システムコントローラ２４４において、ＨＦＭ動作モード設定部１０５は高周波重畳をＯＦＦに設定する。
【００６１】
・ステップ５０５、５０６：データ再生プロセス
システムコントローラ２４４は、上位コマンドから指定されたアドレスのディスクデータ再生を実行する。指定アドレスの再生を終えたらプロセス終了とする。
【００６２】
以上、本動作フローでは、通常再生においても、再生品位に応じてＨＦＭをＯＦＦに設定することができるので、ＨＦＭの動作を必要最小限に抑圧することができる。
【００６３】
尚、再生信号品位は、予めディスクのテスト領域を使って試行した結果を用いても良く、再生直前に試行調査しても良い。再生信号品位として、前記エラー率に限定されることなく、再生信号振幅値や時間軸ジッタ等の周知の指標を用いても良い。
【００６４】
特に、再生信号品位は、敢えて試行調査を行わなくても、再生動作時の復号データそのものからエラー率の変化を監視することが可能である。例えば、所定時間間隔でエラー率の変化を常時監視しておき、予め設定したエラー率基準を超えたら直ちに、高周波重畳をＯＮに切り替え処理して、再生データの信頼性を向上させることができる。
＜第３の省電動作フローの説明＞
本発明による第３の省電動作についてフローチャートを用いて詳述する。図８は第３の省電動作フローを示すものである。
【００６５】
・ステップ８０１：再生指令
上位コマンドを受け、システムが再生動作を開始する。
【００６６】
・ステップ８０２：温度判定
システムコントローラ２４４において、温度監視部１０３は装置内部の温度センサから得られた温度情報を判定する。
【００６７】
温度情報Ｔ＞所定閾値のとき、ステップ８０４に移行する。
【００６８】
温度情報Ｔ＜所定閾値のとき、ステップ８０３に移行する。
【００６９】
・ステップ８０３：高周波重畳ＯＮ
システムコントローラ２４４において、ＨＦＭ動作モード設定部１０５は高周波重畳をＯＮに設定する。
【００７０】
・ステップ８０４：高周波重畳ＯＦＦ
システムコントローラ２４４において、ＨＦＭ動作モード設定部１０５は高周波重畳をＯＦＦに設定する。
【００７１】
・ステップ８０５，８０６：データ再生プロセス
システムコントローラ２４４は、上位コマンドから指定されたアドレスのディスクデータ再生を実行する。指定アドレスの再生を終えたらプロセス終了とする。
【００７２】
以上、本動作フローでは、筐体内部の温度上昇を監視して、所定温度以上の高温動作が行われる危険がある場合、ＨＦＭをＯＦＦに設定することができる。従って、熱源の発生をできる限り抑圧することができ、ディスク媒体の劣化といった危険を回避することができる。
＜第４の省電動作フローの説明＞
本発明による第四の省電動作についてフローチャートを用いて詳述する。図９は第４の省電動作フローを示すものである。
【００７３】
・ステップ９０１：再生指令
上位コマンドを受け、システムがディスクドライブを立ち上げ再生スタンバイに移行する。即ち、
１）スピンドルモータ駆動
２）半導体レーザー点灯
３）フォーカスサーボＯＮ
４）トラッキングサーボＯＮ
５）アドレス検出
６）所定アドレス領域にシーク
といった一連の起動タスクを順次実行する。
【００７４】
・ステップ９０２：高周波重畳ＯＮ
システムコントローラ２４４において、ＨＦＭ動作モード設定部１０５は高周波重畳をＯＮに設定する。
【００７５】
・ステップ９０３：データ再生プロセス
システムコントローラ２４４は、上位コマンドから指定されたアドレスのディスクデータ再生を実行する。
【００７６】
・ステップ９０４：再生終了？
システムコントローラ２４４は、再生終了を判断する。指定アドレスの再生を終え、次アドレスの再生を行う場合は、ステップ９０５に移行する。次アドレスの再生を行わない場合は、ステップ９０９に移行する。
【００７７】
・ステップ９０５：メモリＦＵＬＬ？
システムコントローラ２４４において、メモリ監視部１０２はメモリ蓄積量Ｍを閾値判定する。
【００７８】
メモリ蓄積量Ｍ≧閾値Ａのとき、ステップ９０６に移行する。
【００７９】
メモリ蓄積量Ｍ＜閾値Ａのとき、ステップ９０３に移行する。
【００８０】
ここで閾値Ａとは、図７縦軸に示すメモリ蓄積容量閾値Ａと同義である。
【００８１】
・ステップ９０６：高周波重畳ＯＦＦ
システムコントローラ２４４において、ＨＦＭ動作モード設定部１０５は高周波重畳をＯＦＦに設定する。
【００８２】
・ステップ９０７：ウエイト待機
システムコントローラ２４４は、指定アドレスにおいてディスクドライブをウエイト待機させる。
【００８３】
・ステップ９０５：メモリＵＮＤＥＲ？
システムコントローラ２４４において、メモリ監視部１０２はメモリ蓄積量Ｍを閾値判定する。
【００８４】
メモリ蓄積量Ｍ≦閾値Ｂのとき、ステップ９０２に移行する。
【００８５】
メモリ蓄積量Ｍ＞閾値Ｂのとき、ステップ９０７に移行する。
【００８６】
ここで、閾値Ｂとは、図７縦軸に示すメモリ蓄積容量閾値Ｂと同義を示し、Ａ＞Ｂである。
【００８７】
・ステップ９０９：ドライブ停止
システムコントローラ２４４は、ディスクドライブを停止させる。
【００８８】
以上、本動作フローはディスクドライブの再生動作において、ディスクデータ再生とサーボ待機（ウエイト）を間欠的に繰り返すことによってショックプルーフ機能を実現する。本実施形態によれば、サーボ待機期間にＨＦＭをＯＦＦに設定できるので、間欠待機期間の不要な電力消費を抑圧することができる。特に、ディスクドライブの間欠休止期間が短い場合、或は起動や停止に伴うメカニカルな騒音発生を回避する場合等、間欠休止時にドライブを完全に停止させることができない状況において、本実施形態は省電力動作に大きく貢献することができる。
＜第５の省電動作フローの説明＞
本発明による第五の省電動作についてフローチャートを用いて詳述する。図１０は第５の省電動作フローを示すものである。
【００８９】
・ステップ１００１：再生指令
上位コマンドを受け、システムが再生動作を開始する。
【００９０】
・ステップ１００２：線速判定
システムコントローラ２４４において、サーボ監視部１０４はディスクドライブのスピンドル回転に基く線速情報を判定する。
【００９１】
線速Ｖ＞所定閾値のとき、ステップ１００３に移行する。
【００９２】
線速Ｖ＜所定閾値のとき、ステップ１００４に移行する。
【００９３】
・ステップ１００３：高周波重畳ＯＮ
システムコントローラ２４４において、ＨＦＭ動作モード設定部１０５は高周波重畳をＯＮに設定する。
【００９４】
・ステップ１００４：高周波重畳ＯＦＦ
システムコントローラ２４４において、ＨＦＭ動作モード設定部１０５は高周波重畳をＯＦＦに設定する。
【００９５】
・ステップ１００５，１００６：データ再生プロセス
システムコントローラ２４４は、上位コマンドから指定されたアドレスのディスクデータ再生を実行する。指定アドレスの再生を終えたらプロセス終了とする。
【００９６】
以上、本動作フローでは、通常の再生動作よりも高速でデータを読み出す高速動作時にはＨＦＭをＯＮにして、データ再生信頼性の向上を図り、通常の比較的低速で動作する場合はＨＦＭをＯＦＦに設定することができる。従って、高速読み出し時の再生データ信頼性確保を得ながらも、通常再生時には電力消費を抑圧することができる。
【００９７】
ここで、本発明による実施形の高周波重畳のＯＮ／ＯＦＦ制御について、図１１に一覧をまとめた。図１１の各Ｃａｓｅ１〜５のように、高周波重畳（ＨＦＭ）のＯＮ／ＯＦＦを切り替え制御する。尚、Ｃａｓｅ１〜５の項目を少なくとも１項目以上組み合わせて、高周波重畳（ＨＦＭ）のＯＮ／ＯＦＦを切り替え制御しても良い。
【図面の簡単な説明】
【００９８】
【図１】本発明に係るシステムコントローラの機能ブロック図である。
【図２】本発明に係る情報再生装置の全体機能ブロック図である。
【図３】本発明の第１実施形態に係る動作フローチャートである。
【図４】本発明の第２実施形態における信号品位判定部の説明図である。
【図５】本発明の第２実施形態に係る動作フローチャートである。
【図６】高周波重畳の機能ブロック図である。
【図７】ディスクドライブ間欠動作の説明図である
【図８】本発明の第３実施形態に係る動作フローチャートである。
【図９】本発明の第４実施形態に係る動作フローチャートである。
【図１０】本発明の第５実施形態に係る動作フローチャートである。
【図１１】本発明に係る高周波重畳制御の一覧説明図である。
【符号の説明】
【００９９】
２１０    データバス
２２０    ディスクドライブ部
２２１    ディスク
２２２    光ピックアップ
２２３    スピンドルモータ
２２４    スピンドルモータドライバ
２２５    ＡＴ／ＡＦドライバ
２２６    レーザードライバ
２２７    ディスク信号処理部
２２８    サーボコントローラ
２２９    再生プロセッサ
２４１    メモリ制御部
２４２    メモリ
２４４    システムコントローラ（ＣＰＵ）
２４５    表示部
２４６    出力Ｉ／Ｆ
２４７    操作部
２４８    温度センサ
６０１    半導体レーザー
６０２    加算器
６０３    電流制御
６０４    発振器
【図１】
2006221706.tif 000003
【図２】
2006221706.tif 000004
【図３】
2006221706.tif 000005
【図４】
2006221706.tif 000006
【図５】
2006221706.tif 000007
【図６】
2006221706.tif 000008
【図７】
2006221706.tif 000009
【図８】
2006221706.tif 000010
【図９】
2006221706.tif 000011
【図１０】
2006221706.tif 000012
【図１１】
2006221706.tif 000013